(57)【特許請求の範囲】
【請求項１】
前方に集塵室蓋で開閉自在に覆われた集塵室と、後方に電動送風機を内蔵した電動送風機収納部をそれぞれ設けた本体下部と、前記電動送風機収納部の上部開口部を覆う本体上部と、回動軸をその左右側面内部に設けた本体スイッチボタンと、本体上部に設けられるとともに前記回動軸を回動自在に支持する回動軸受部とを有し、前記回動軸受部の形状を前記回動軸が上下方向にしゅう動可能に長円状とし、前記回動軸の一端に上方に延設した壁を設け、前記壁の上端に前記延設した壁に続く台形状の突出部を設け、さらに前記突出部を本体上部の内壁に上下動自在に当接させた電気掃除機。
【発明の詳細な説明】
【０００１】
【産業上の利用分野】
本発明は、一般家庭で、使用される電気掃除機に関するもので、特に本体スイッチボタンの操作性に関するものである。
【０００２】
【従来の技術】
従来、この種の電気掃除機は、特開昭６２−１２７０２６号公報に示されるのが一般的であった。以下、図５、図６に基づき説明する。
【０００３】
すなわち、図５、図６において、集塵室１は本体下部２と、集塵室蓋３より構成され、また、本体下部２と、本体上部６とで電動送風機収納部５を構成し、電動送風機４を収納している。
【０００４】
本体スイッチボタン７を本体上部６の回動軸受部９に本体スイッチボタン７の回動軸１０を圧入装着して外れないように構成し、また、回動軸１０と反対側に略Ｌ字型の引っかけ１３を本体スイッチボタン７側に設け、本体上部６側にはこの略Ｌ字型の引っかけ１３を保持する保持部１４を有している。本体スイッチボタン７と本体上部６の間には、バネ等の弾性体１２が取りつけられており、本体スイッチボタン７が、常に、上方に附勢されており、略Ｌ字型の引っかけ１３は外れ防止の役目をしている。また、本体スイッチボタン７の回動にともない本体スイッチボタン７の内面より突出したボス８により、スイッチ１１を押し、スイッチ１１をＯＮ、ＯＦＦさせている。
【０００５】
通常使用するのには、手を用いて本体スイッチボタン７を押していたが、近年は、使い勝手の向上も兼ねて、足による操作も行われるよう本体ボタン７の大きさを大きくしている。
【０００６】
【発明が解決しようとする課題】
しかし、このような構成のものにあっては、本体上部６の回動軸受部９を中心に本体スイッチボタン７が回動して、本体上部６に取りつけられているスイッチ１１を本体スイッチボタン７より突出して構成されたボス８が押してスイッチ１１をＯＮ、ＯＦＦさせるのであるが、この本体スイッチボタン７を垂直方向、回動軸１０の方向に上から押すと、本体スイッチボタン７は回動軸受部９で軸と軸受の遊び内では下方に動くことができるが、この遊び分を動くと回動軸１０は回動軸受部９に当たり下方に下がることができないことが発生し、さらに、無理に押して回動軸受部９、および、回動軸１０が破壊することがあった。
【０００７】
また、第２の課題として、本体スイッチボタン７の回動方向に対して左右の端部より操作すると、本体スイッチボタン７と本体上部６が干渉しあって摩擦により動きが悪くなり、操作しにくくなるという事態が発生することがあった。
【０００８】
そこで、本発明は上記課題を解決するもので、安全で、本体スイッチボタン７の上方向、及び、左右の端部を押しても動作する使用勝手のよい電気掃除機を提供することを目的としている。
【０００９】
【課題を解決するための手段】
以上の目的を達成するための本発明の手段は、前方に集塵室蓋で開閉自在に覆われた集塵室と、後方に電動送風機を内蔵した電動送風機収納部をそれぞれ設けた本体下部と、前記電動送風機収納部の上部開口部を覆う本体上部と、回動軸をその左右側面内部に設けた本体スイッチボタンと、本体上部に設けられるとともに前記回動軸を回動自在に支持する回動軸受部とを有し、前記回動軸受部の形状を前記回動軸が上下方向にしゅう動可能に長円状とし、前記回動軸の一端に上方に延設した壁を設け、前記壁の上端に前記延設した壁に続く台形状の突出部を設け、さらに前記突出部を本体上部の内壁に上下動自在に当接させた事である。
【００１０】
【作用】
本発明の手段によれば、本体スイッチボタンを回動させてスイッチをＯＮ、ＯＦＦさせるだけでなく、上からの押し力で本体スイッチボタンを上下動させてもスイッチボタンをＯＮ、ＯＦＦさせることができる。
【００１１】
また、本体スイッチボタン左右端部を押してもスイッチがＯＮ、ＯＦＦし、且つ、回動軸が上下動するのに、引っ掛かりがなくスム−ズにしゅう動させることができる。
【００１２】
【実施例】
以下、本発明の一実施例を図１〜図４を参照して説明する。
【００１３】
図１〜図３において、１は集塵室であり、本体下部２の前部と、集塵室蓋３により構成されている。５は電動送風機収納部であり、本体上部６と、本体下部２の後部により構成されており電動送風機４を収納している。
【００１４】
７は本体スイッチボタンであり、８は本体スイッチボタン７に設けられたボスであり、１０は本体スイッチボタン７の左右側面内部に設けられた回動軸である。また、１３は本体スイッチボタン７に設けられた略Ｌ字型の引っかけ部である。
【００１５】
９は本体上部６に構成された長円状の回動軸受部であり、１４は保持部である。
【００１６】
１１はスイッチであり、１２は弾性体である。
【００１７】
上記構成を説明すると、本体スイッチボタン７は、本体上部６の回動軸受部９に回動軸１０を上下動自在に装着され、略Ｌ字型の引っかけ部１３を本体上部６の保持部１４に係合させ、本体スイッチボタン７は本体上部６との間に設けられた弾性体１２により常時上方に附勢されている。
【００１８】
また、動作を説明すると、本体スイッチボタン７の中央を押すと、本体スイッチボタン７は弾性体１２により附勢されているため、長円状の回動軸受部９の上方で回動軸１０を中心に回動を行い、本体スイッチボタン７に設けられたボス８がスイッチ１１を押してＯＮ、ＯＦＦを行う。
【００１９】
上記構成による作用は、以下の通りである。
【００２０】
使用者が足で本体スイッチボタン７を操作する場合、本体スイッチボタン７の中央部を目標にして操作を行うものであるが、足で操作したりするため、きっちり、中央を押すことは難しく、上方向より押される場合、中央方向より押される場合、左右方向より押される場合がある。
【００２１】
まず、上方向より、しかも回動軸１０のある位置を踏む場合を図２を用いて説明する。図２で回動軸１０のある位置を踏むと、本体スイッチボタン７に上方向より力がかかるため、回動軸１０が本体上部６に設けた長円状の回動軸受部９内を下に移動する。移動してボス８を介してスイッチ１１を押し下げることによりスイッチ１１がＯＮして、電動送風機４が動き、掃除することができる。この踏まれた足をのけると、本体上部６と本体スイッチボタン７に挟まれた弾性体１２が縮んだ状態から元に戻り本体スイッチボタン７が押される前の状態に戻る。このとき、本体スイッチボタン７の略Ｌ字の引っかけ部１３と本体上部６の保持部１４とが掛かり、ストッパ−の役目をしている。
【００２２】
また、上方向より踏まれる場合で、しかも、回動軸１０のある位置を外れた位置、例えばＡ部を踏むと、本体スイッチボタン７は回動軸１０を中心に回動してボス８がスイッチ１１を押してスイッチ１１をＯＮ、ＯＦＦさせて電動送風機４を運転する。
【００２３】
つぎに、図３に示すように斜め方向より踏まれる場合、回動軸１０を中心として、押した力がすべて回転方向の力に変わり、回動軸１０を中心として本体スイッチボタン７が回転してスイッチ１１をＯＮ、ＯＦＦさせる。
【００２４】
実施例のようになり、回動軸１０を破壊する事なくどこを押してもスイッチ１１がＯＮ、ＯＦＦすることができる。
【００２５】
第２の実施例を図１と図４で説明する。
【００２６】
１５は本体スイッチボタン７の回動軸１０に延設した壁であり、１６は延設した壁に続く台形状の突出部である。１７は、本体上部６に設けられた回動軸受部９を構成している内壁である。なお、他の構成は、上記実施例と同一であるので省略する。
【００２７】
上記構成による作用は、以下の通りである。
【００２８】
使用者が本体スイッチボタン７を足で動作するのに、前記内容で動作するのであるが、本体スイッチボタン７の左右の端を踏まれることがある。このとき、本体スイッチボタン７は、踏まれた側だけ回動軸１０が下方向に移動し、移動した側の回動軸１０には回動軸１０が外側に外れるように力がかかる。このとき回動軸１０に延設した壁１５は回動軸１０が回動軸受部９から外れるのを防止し、さらに壁１５に延設した台形状の突出部１６は、壁１５に掛る力を小さくするため内壁１７に当たる部分を台形状にしてたわみ性をもたせ、また、本体上部６の内壁１７に台形の先端部分を当てて、壁１５に掛かった力が解除されたとき、壁１５もしくは回動軸１０が回動軸受部９に当たる事なく、台形の先端部を当てて内壁１７をしゅう動して元の状態に戻るようにしている。
【００２９】
【発明の効果】
以上の実施例から明らかなように、本発明によれば、本体スイッチボタンのどこを押しても操作ができ、使い勝手のよい電気掃除機を提供するものである。
【００３０】
また、本体スイッチボタンの操作がスム−ズに行われ引っ掛かりの無い電気掃除機を提供するものである。
【図面の簡単な説明】
【図１】  本発明の一実施例を示す電気掃除機の後部斜視図
【図２】  同電気掃除機の要部断面図
【図３】  同電気掃除機の要部断面図
【図４】  同電気掃除機の要部断面図
【図５】  従来の電気掃除機の斜視図
【図６】  同電気掃除機の要部断面図
【符号の説明】
１  集塵室
２  本体下部
３  集塵室蓋
４  電動送風機
５  電動送風機収納部
６  本体上部
７  本体スイッチボタン
８  ボス
９  回動軸受部
１０  回動軸
１１  スイッチ
１２  弾性体
１３  略Ｌ字の引っかけ部
１４  保持部
１５  延設した壁
１６  突出部
１７  内壁
【図１】
0003755156.tif 000002
【図２】
0003755156.tif 000003
【図３】
0003755156.tif 000004
【図４】
0003755156.tif 000005
【図５】
0003755156.tif 000006
【図６】
0003755156.tif 000007